(57)【要約】  【課題】  一の商品仕切り板で陳列面形状が異なる他の商品陳列台への転用が可能であるとともに、陳列面への設置が容易で、度決めの効いた仕切りが可能な商品陳列台を提供すること。  【解決手段】  陳列面ａに仕切り板１１の嵌合溝１３を所定のピッチで前後方向又は左右方向に多数設けた陳列台本体部１２と、嵌合溝１３に嵌合する仕切り板１１とを備える商品陳列台を用いれば、陳列面への設置が容易で、度決めの効いた仕切りが可能となる。【選択図】      図２
2005312771.tif 000002
【特許請求の範囲】
【請求項１】
陳列面に仕切り板の嵌合溝を所定のピッチで多数設けた陳列台本体部と、
該嵌合溝に嵌合する仕切り板とを備えることを特徴とする商品陳列台。
【請求項２】
該所定のピッチで多数設けた嵌合溝を構成する各々の嵌合溝が、陳列面の一端から他端に至る連続溝であるか、又は不連続溝であることを特徴とする請求項１記載の商品陳列台。
【請求項３】
該陳列面が、水平面、傾斜面、階段状面及びこれらの組み合わせ面であることを特徴とする請求項１又は２記載の商品陳列台。
【請求項４】
該仕切り板は、該嵌合溝が形成される方向において、該商品陳列台から突出していることを特徴とする請求項１〜３のいずれか１項記載の商品陳列台。
【請求項５】
該商品が、青果物であることを特徴とする請求項１〜４のいずれか１項記載の商品陳列台。
【発明の詳細な説明】
【技術分野】
【０００１】
本発明は、主として青果物売り場で使用される陳列安定性に優れる商品陳列台に関するものである。
【背景技術】
【０００２】
従来、青果物売り場で使用される商品陳列台は、例えば図１３及び図１４に示されるように、平面状あるいは階段状の陳列面１０２、２０２を有する陳列台１０５、２０５と、商品仕切り板１０１、２０１とから構成されている。この商品仕切り板１０１、２０１は下端縁が陳列面１０２、２０２の輪郭形状に対応する形状を有する鉛直部材である商品仕切り板本体１０３、２０３と、該下端縁がＴ字形断面を構成する水平部材である基板１０４、２０４を有するものである。また、下端縁がＬ字形断面を構成する基板を用いた商品仕切り板もある。
【非特許文献１】「SALES PROMOTION CATALOG ‘02〜」KAWAJUN、第83頁、2002年発行
【発明の開示】
【発明が解決しようとする課題】
【０００３】
しかしながら、従来の商品陳列台１００、２００における商品仕切り板１０１、２０１は自立型であるため、仕切り板の設置等の作業性はよいものの、商品仕切り板１０１、２０１が転倒することが多く、商品間の仕切りの乱れが問題となる。また、商品仕切り板は陳列面の形状により決定されるため、異なる形状の陳列面への転用ができないという問題がある。このため、一の商品仕切り板で陳列面形状が異なる他の商品陳列台への転用が可能であるとともに、陳列面への設置が容易で、度決めの効いた仕切りが可能な商品陳列台の開発が望まれていた。
【０００４】
従って、本発明の目的は、一の商品仕切り板で陳列面形状が異なる他の商品陳列台への転用が可能であるとともに、陳列面への設置が容易で、度決めの効いた仕切りが可能な商品陳列台を提供することにある。
【課題を解決するための手段】
【０００５】
かかる実情において、本発明者らは鋭意検討を行った結果、陳列面に仕切り板の嵌合溝を所定のピッチで多数設けた陳列台本体部と、該嵌合溝に嵌合する仕切り板とを備える商品陳列台であれば、一の商品仕切り板で陳列面形状が異なる他の商品陳列台への転用が可能であるとともに、陳列面への設置が容易で、度決めの効いた仕切りが可能であることを見出し、本発明を完成するに至った。
【０００６】
すなわち、本発明（１）は、陳列面に仕切り板の嵌合溝を所定のピッチで多数設けた陳列台本体部と、該嵌合溝に嵌合する仕切り板とを備える商品陳列台を提供するものである。
【０００７】
また、本発明（２）は、該所定のピッチで多数設けた嵌合溝を構成する各々の嵌合溝が、陳列面の一端から他端に至る連続溝であるか、又は不連続溝である前記商品陳列台を提供するものである。
【０００８】
また、本発明（３）は、該陳列面が、水平面、傾斜面、階段状面及びこれらの組み合わせ面である前記商品陳列台を提供するものである。
【０００９】
また、本発明（４）は、該仕切り板は、該嵌合溝が形成される方向において、該商品陳列台から突出している前記商品陳列台を提供するものである。
【００１０】
また、本発明（５）は、該商品が、青果物である前記商品陳列台を提供するものである。
【発明の効果】
【００１１】
本発明の商品陳列台によれば、一の商品仕切り板で陳列面形状が異なる他の商品陳列台への転用が可能であるとともに、陳列面への設置が容易で、度決めの効いた仕切りが可能となる。また、売り場の商品の陳列の乱れを防ぎ、商品陳列のガイドとして、上方向に積み上げるボリューム感のある商品陳列ができる。
【発明を実施するための最良の形態】
【００１２】
本発明において、陳列台本体部としては、特に制限されないが、例えば、いわゆる床置きの箱状物、別途の基台に設置されるボード（板）状物等が挙げられる。陳列面の形状としては、特に制限されず、水平面、傾斜面、階段状面及びこれらの組み合わせ面が挙げられる。
【００１３】
陳列面に所定のピッチで多数形成される仕切り板の嵌合溝としては、特に制限されず、例えば所定のピッチで多数設けた嵌合溝を構成する各々の嵌合溝が、陳列面の一端から他端に至る連続溝であるか、又は不連続溝であるものが挙げられる。また、各々の嵌合溝が延出する方向としては、前後方向又は左右方向、又は前後左右両方向が挙げられる。前後方向に延びる嵌合溝に仕切り板を設置した場合、陳列商品を左右に区画することになり、左右方向に延びる嵌合溝に仕切り板を設置した場合、陳列商品を前後に区画することになる。また、前後左右両方向に形成されたいわゆる碁盤目状の場合、仕切り板の設置方法により、陳列商品を前後左右に区画することができる。なお、「前」とは通路側（顧客側）を言い、「後」とはその反対側を言う。
【００１４】
嵌合溝が陳列面の一端から他端に至る連続溝の場合、その溝深さとしては、特に制限されないが、仕切り板の設置が安定する深さが好ましく、特に陳列台本体部が箱状物の場合、箱状物の高さ寸法に近い深さ寸法（溝深さは深い）であると、仕切り板が奥深く入りこみ、仕切り板を陳列台から横方向に突出する設置形態とすることができる。この場合、床面を商品陳列面として使用でき、陳列の演出効果を高めることができる。陳列台本体部である箱状物が側板で製作された中空体の場合、連続溝は天板及び側板に連続するスリットとして形成される。
【００１５】
不連続溝としては、特に制限されないが、不連続溝を構成する単一の溝の数が１〜３つ程度が、単一溝の長さが短くならない点で好ましい。単一の溝の数が１つの場合、通常陳列面の中央に所定の長さで設置することが、仕切り板の設置の容易性と設置安定性がよくなる点で好ましい。嵌合溝はいわゆる溝ではなく、長穴であってもよい。
【００１６】
嵌合溝に嵌合する仕切り板としては、特に制限されず、矩形状の板状物、不定形状の板状物、下端に嵌合片を有する板状物が挙げられる。下端に嵌合片を有しないものは、下端縁全体もしくは仕切り板本体の一部が嵌合溝に嵌合する。また、仕切り板は嵌合溝が形成される方向において、商品陳列台から突出しているものであってもよい。この場合、床面などが陳列面として活用できる。
【００１７】
次に、本発明の第１の実施の形態における商品陳列台を図１〜図５を参照して説明する。図１（Ａ）は第１の実施の形態例の商品陳列台の分解斜視図であり、（Ｂ）は（Ａ）の組み付け後の商品陳列台の斜視図、図２は本例の商品陳列台の使用状態図、図３（Ａ）は本例の商品陳列台の変形例の分解斜視図、（Ｂ）は（Ａ）の組み付け後の商品陳列台の斜視図、図４（Ａ）は本例の商品陳列台の他の変形例の分解斜視図、（Ｂ）は（Ａ）の組み付け後の商品陳列台の斜視図、図５（Ａ）は本例の商品陳列台の他の変形例の分解斜視図、（Ｂ）は（Ａ）の組み付け後の商品陳列台の斜視図である。
【００１８】
第１の実施の形態における商品陳列台は、陳列台本体部が箱状物のものであって、仕切り板の形状が矩形状の大平板を用いるものである。商品陳列台１０は陳列面ａに仕切り板の嵌合溝１３を所定のピッチで左右方向に多数設けた陳列台本体部１２と、嵌合溝１３に嵌合する仕切り板１１とを備える。嵌合溝１３は、嵌合溝を構成する各々の嵌合溝が、陳列面ａの一端（左縁）から他端（右縁）に至る連続溝であって、且つ左右両側板１２１、１２２を貫通している。嵌合溝１３の深さは深く形成されており、陳列台本体部１２の高さよりやや短い程度の寸法である。陳列台本体部１２は中空体であっても、中実体であってもよい。なお、仕切り板１１は複数使用してもよく、また、嵌合溝１３のいずれの溝に嵌合させてもよい。商品陳列台１０によれば、大きな仕切り板１１を陳列面ａへ設置することが容易であり、度決めの効いた仕切りが可能となる。また、売り場の商品Ａの陳列の乱れを防ぎ、商品陳列のガイドとして、上方向に積み上げるボリューム感のある商品陳列ができる（図２）。また、仕切り板１１は左右方向に突出して設置できるため、裏側からは目隠しになると共に、床に商品Ａを載置して陳列の演出効果を高めることができる。
【００１９】
商品陳列台１０ａにおいて、商品陳列台１０と異なる点は、嵌合溝の形状と仕切り板の形状である。すなわち、商品陳列台１０ａの嵌合溝１３ａは、嵌合溝を構成する各々の嵌合溝が、陳列面ａの一端（左縁）及び他端（右縁）の近傍まで延出する連続溝であって、前後両側板１２１、１２２を貫通していない。陳列台本体部は中空体の場合、嵌合溝１３は天板に形成されている。一方、仕切り板は大きな矩形状の平板であり、中央よりやや左側下方に所定の幅と長さの縦切欠き１４を設けることで、右脚板１１１と左脚板１１２を形成させている。仕切り板１１ａは右脚板１１１が嵌合溝１３ａに嵌合することにより陳列台本体部１２に設置される。商品陳列台１０ａによれば、商品陳列台１０と同様の効果を奏する他、嵌合溝１３ａの形成が容易となる。
【００２０】
商品陳列台１０ｂにおいて、商品陳列台１０と異なる点は、嵌合溝の形状と仕切り板の形状である。すなわち、商品陳列台１０ｂの嵌合溝１３ｂは、嵌合溝を構成する各々の嵌合溝１３ｂが、陳列面ａの一端（左縁）及び他端（右縁）の近傍まで延出すると共に途中で分離された２つの溝からなる不連続溝である。一方、仕切り板は大きな矩形状の平板であり、中央よりやや左側下方と右側下方に所定の幅と長さの縦切欠き１４、１４を設けることで、右脚板１１３、中脚板１１４及び左脚板１１５を形成させている。仕切り板１１ｂは右脚板１１３と中脚板１１４が嵌合溝１３ｂに嵌合することにより陳列台本体部１２に設置される。商品陳列台１０ｂによれば、不連続の嵌合溝に対しても仕切り板に対応する縦切欠きを設けることで商品陳列台１０と同様の効果を奏する。
【００２１】
商品陳列台１０ｃにおいて、商品陳列台１０と異なる点は、嵌合溝の形状と仕切り板の形状である。すなわち、商品陳列台１０ｃの嵌合溝１３ｃは、嵌合溝を構成する各々の嵌合溝が、陳列面ａの一端（右縁）から中央左側まで延出する溝１３ｃと、天板の一部から左側板１２１を下端縁まで貫通する溝１３ｄを備える不連続溝である。一方、仕切り板１１ｃは大きな矩形状の平板であり、中央下方に所定の幅と長さの縦切欠き１４を設けることで、右脚板１１６と左脚板１１７を形成させている。仕切り板１１ｃは右脚板１１６が嵌合溝１３ｃに嵌合し、左脚板１１７の一部が嵌合溝１３ｄに嵌合することにより陳列台本体部１２に設置される。商品陳列台１０ｃによれば、不連続の変形嵌合溝に対しても仕切り板に当該嵌合溝に対応する縦切欠きを設けることで商品陳列台１０と同様の効果を奏する。
【００２２】
次に、本発明の第２の実施の形態における商品陳列台を図６〜図８を参照して説明する。図６（Ａ）は本例の商品陳列台の分解斜視図、（Ｂ）は（Ａ）の組み付け後の商品陳列台の斜視図、図７（Ａ）は本例の商品陳列台の変形例の分解斜視図、（Ｂ）は（Ａ）の組み付け後の商品陳列台の斜視図、図８（Ａ）は本例の商品陳列台の他の変形例の分解斜視図、（Ｂ）は（Ａ）の組み付け後の商品陳列台の斜視図である。
【００２３】
第２の実施の形態における商品陳列台は、陳列台本体部が三角形断面の箱状物で、傾斜状の陳列面を有するものであり、仕切り板の形状が矩形状の大平板を用いるものである。商品陳列台２０において、商品陳列台１０〜１０ｃと同一構成要素には同一符号を付してその説明を省略し、異なる点について主に説明する。商品陳列台２０は傾斜状陳列面ｂに仕切り板の嵌合溝１３ａを所定のピッチで前後方向に多数設けた陳列台本体部１２ａと、嵌合溝１３ａに嵌合する仕切り板１１とを備える。仕切り板１１は、その右側下方が嵌合溝１３ａに嵌合することにより陳列台本体部１２ａに設置される。商品陳列台２０によれば、商品陳列台１０と同様の効果を奏する他、床面を商品載置面とした陳列の演出効果が高まる。また、商品陳列台１０で用いた商品仕切り板を転用することができる。
【００２４】
商品陳列台２０ａにおいて、商品陳列台２０と異なる点は、嵌合溝の形状と仕切り板の形状である。すなわち、商品陳列台２０ａの嵌合溝１３ｂは、嵌合溝を構成する各々の嵌合溝１３ｂが、陳列面ａの一端（左縁）及び他端（右縁）の近傍まで延出すると共に途中で分離された２つの溝からなる不連続溝である。一方、仕切り板１１ｄは大きな矩形状の平板であり、中央よりやや右側下方に所定の幅と長さの縦切欠き１４を設けることで、右脚板１２１及び左脚板１２２の一部を形成させている。仕切り板１１ｄは右脚板１２１と左脚板１２２が嵌合溝１３ｂに嵌合することにより陳列台本体部１２ａに設置される。商品陳列台２０ａによれば、不連続の嵌合溝に対しても仕切り板に対応する縦切欠きを設けることで商品陳列台２０と同様の効果を奏する。
【００２５】
商品陳列台２０ｂにおいて、商品陳列台２０と異なる点は、嵌合溝の形状と仕切り板の形状である。すなわち、商品陳列台２０ｂの嵌合溝１３ｄは、嵌合溝を構成する各々の嵌合溝１３ｄが、陳列面ａの一端（左縁）及び他端（右縁）の近傍まで延出すると共に途中で分離された３つの溝からなる不連続溝である。一方、仕切り板１１ｅは大きな矩形状の平板であり、中央下方及び中央よりやや右側下方に所定の幅と長さの縦切欠き１４、１４を設けることで、右脚板１２３、中脚板１２４及び左脚板１２５を形成させている。仕切り板１１ｅは右脚板１２３、中脚板１２４の大部分及び左脚板１２５の一部が３つの嵌合溝１３ｂにそれぞれ嵌合することにより陳列台本体部１２ｂに設置される。商品陳列台２０ｂによれば、不連続の嵌合溝に対しても仕切り板に対応する縦切欠きを設けることで商品陳列台２０と同様の効果を奏する。
【００２６】
次に、本発明の第３の実施の形態における商品陳列台を図９を参照して説明する。図９は本例の商品陳列台の分解斜視図である。第３の実施の形態における商品陳列台３０は、陳列台本体部が鋸刃断面の箱状物で、２つの左下がり傾斜と１つの右下がり傾斜の陳列面を有するものであり、仕切り板の形状が矩形状の大平板を用いるものである。商品陳列台３０において、商品陳列台１０〜１０ｃと同一構成要素には同一符号を付してその説明を省略し、異なる点について主に説明する。商品陳列台３０は傾斜状陳列面ｃに仕切り板の嵌合溝１３ｅを所定のピッチで前後方向に多数設けた陳列台本体部１２ｂと、嵌合溝１３ｅに嵌合する仕切り板１１とを備える。嵌合溝１３ｅを構成する各々の嵌合溝は、陳列面ｃの一端（左縁）及び他端（右縁）の近傍まで延出する連続溝であって、右両側板を貫通していない。商品陳列台３０によれば、商品陳列台１０と同様の効果を奏する他、床面を商品載置面とした陳列の演出効果が高まる。
【００２７】
次に、本発明の第４の実施の形態における商品陳列台を図１０を参照して説明する。図１０は本例の商品陳列台の分解斜視図である。第４の実施の形態における商品陳列台４０は、陳列台本体部が階段状の箱状物であり、仕切り板の形状が矩形状の大平板を用いるものである。商品陳列台４０において、商品陳列台１０〜１０ｃと同一構成要素には同一符号を付してその説明を省略し、異なる点について主に説明する。商品陳列台４０は階段状状陳列面ｄに仕切り板の嵌合溝１３を所定のピッチで前後方向に多数設けた陳列台本体部１２ｃと、嵌合溝１３に嵌合する仕切り板１１とを備える。嵌合溝１３を構成する各々の嵌合溝が、陳列面ｄの一端（左縁）から他端（右縁）に至る連続溝であって、且つ左右両側板１２１、１２２を貫通している。嵌合溝１３の深さは深く形成されており、陳列台本体部１２ｃの高さよりやや短い程度の寸法である。商品陳列台４０によれば、商品陳列台１０と同様の効果を奏する他、床面を利用すると３段の階段形状となり、陳列の演出効果が高まる。
【００２８】
次に、本発明の第５の実施の形態における商品陳列台を図１１を参照して説明する。図１１は本例の商品陳列台の分解斜視図である。第５の実施の形態における商品陳列台５０において、商品陳列台４０と同一構成要素には同一符号を付してその説明を省略し、異なる点について主に説明する。すなわち、商品陳列台５０は陳列台本体部が５段の階段状の箱状物であり、仕切り板の形状が矩形状の大平板１１、下端縁が階段形状で上端縁が傾斜状の小平板１１ｆ、１１ｇ及び下端縁が階段形状で上端縁が傾斜状の中平板１１ｈを用いるものである。嵌合溝１３を構成する各々の嵌合溝が、陳列面ｄの一端（左縁）から他端（右縁）に至る連続溝であって、且つ左右両側板１２１、１２２を貫通している。嵌合溝１３の深さは深く形成されており、陳列台本体部１２ｃの高さよりやや短い程度の寸法である。なお、小平板１１ｆ、１１ｇ及び中平板１１ｈの仕切り板を用いる場合、嵌合溝の溝深さは公知の手段で浅くしておく。４種類の仕切り板は１種単独又は２種以上を適宜組み合わせて用いる。商品陳列台５０によれば、商品陳列台４０と同様の効果を奏する他、床面を利用すると６段の階段形状となり、陳列の演出効果が高まる。
【００２９】
次に、本発明の第６の実施の形態における商品陳列台を図１２を参照して説明する。図１２は本例の商品陳列台の分解斜視図である。第６の実施の形態における商品陳列台６０において、商品陳列台３０と同一構成要素には同一符号を付してその説明を省略し、異なる点について主に説明する。すなわち、商品陳列台６０は陳列台本体部が５段の鋸刃状の箱状物であり、仕切り板の形状が矩形状の中平板１１、下端縁及び上端縁が鋸刃状の小平板１１ｊ、１１ｋ及び中平板１１ｌを用いるものである。嵌合溝１３ｅを構成する各々の嵌合溝は、陳列面ｆの一端（左縁）及び他端（右縁）の近傍まで延出する連続溝であって、右両側板１２２を貫通していない。なお、小平板１１ｊ、１１ｋ及び中平板１１ｌの仕切り板を用いる場合、嵌合溝の溝深さは公知の手段で浅くしておく。４種類の仕切り板は１種単独又は２種以上を適宜組み合わせて用いる。商品陳列台６０によれば、商品陳列台３０と同様の効果を奏する他、床面を利用すると６段の鋸刃断面形状となり、陳列の演出効果が高まる。
【図面の簡単な説明】
【００３０】
【図１】（Ａ）は第１の実施の形態例の商品陳列台の分解斜視図であり、（Ｂ）は（Ａ）の組み付け後の商品陳列台の斜視図である。
【図２】本例の商品陳列台の使用状態図である。
【図３】（Ａ）は本例の商品陳列台の変形例の分解斜視図、（Ｂ）は（Ａ）の組み付け後の商品陳列台の斜視図である。
【図４】（Ａ）は本例の商品陳列台の他の変形例の分解斜視図、（Ｂ）は（Ａ）の組み付け後の商品陳列台の斜視図である。
【図５】（Ａ）は本例の商品陳列台の他の変形例の分解斜視図、（Ｂ）は（Ａ）の組み付け後の商品陳列台の斜視図である。
【図６】（Ａ）は第２の実施の形態例の商品陳列台の分解斜視図であり、（Ｂ）は（Ａ）の組み付け後の商品陳列台の斜視図である。
【図７】（Ａ）は本例の商品陳列台の変形例の分解斜視図、（Ｂ）は（Ａ）の組み付け後の商品陳列台の斜視図である。
【図８】（Ａ）は本例の商品陳列台の変形例の分解斜視図、（Ｂ）は（Ａ）の組み付け後の商品陳列台の斜視図である。
【図９】第３の実施の形態例の商品陳列台の分解斜視図である。
【図１０】第４の実施の形態例の商品陳列台の分解斜視図である。
【図１１】第５の実施の形態例の商品陳列台の分解斜視図である。
【図１２】第６の実施の形態例の商品陳列台の分解斜視図である。
【図１３】（Ａ）は従来の商品陳列台の分解斜視図であり、（Ｂ）は（Ａ）の組み付け後の商品陳列台の斜視図である。
【図１４】（Ａ）は従来の他の商品陳列台の分解斜視図であり、（Ｂ）は（Ａ）の組み付け後の商品陳列台の斜視図である。
【符号の説明】
【００３１】
１０、１０ａ〜１０ｃ、２０、２０ａ〜２０ｂ、３０〜６０  商品陳列台
１１、１１ａ〜１１ｌ    商品仕切り板
１２    陳列本体部
１３、１３ａ〜１３ｅ  嵌合溝
１４    縦切欠き部
ａ〜ｆ  陳列面
１１１〜１１７    脚板
【図１】
2005312771.tif 000003
【図２】
2005312771.tif 000004
【図３】
2005312771.tif 000005
【図４】
2005312771.tif 000006
【図５】
2005312771.tif 000007
【図６】
2005312771.tif 000008
【図７】
2005312771.tif 000009
【図８】
2005312771.tif 000010
【図９】
2005312771.tif 000011
【図１０】
2005312771.tif 000012
【図１１】
2005312771.tif 000013
【図１２】
2005312771.tif 000014
【図１３】
2005312771.tif 000015
【図１４】
2005312771.tif 000016